(57)【要約】【課題】  玩具の入ったカプセルの排出におけるランダム性を維持しつつ、排出されるカプセルに入った玩具に対する遊技者の期待感を煽ることができるカプセル排出装置を提供すること。【解決手段】  ＣＰＵ２１は、カプセル収納部３の底部に配置されたリーダ／ライタ２４のアンテナ２５により、カプセル収納部３の底部に存在する或るカプセル１００内のＩＣタグ３１のＩＣチップ３２に記憶された識別情報を無線通信で取得する。そして、液晶駆動回路７５は、ＣＰＵ２１から送信されたその識別情報に基づき、その識別情報に対応する動画（映像情報）を液晶ディスプレイ８に表示する。これにより、当該ＩＣタグ３１とカプセル１００内に一緒に封入されたフィギュア１００の種別を液晶ディスプレイ８に表示される動画（映像情報）で知らせることができる。【選択図】  図１
2006004199.tif 000002
【特許請求の範囲】
【請求項１】
玩具が入ったカプセルを収納するカプセル収納部と、前記カプセル収納部の底部に設けられることにより前記カプセル収納部から前記カプセルを排出するカプセル排出部と、を有するカプセル排出装置において、
各カプセル内に設けられたＩＣタグと、
前記ＩＣタグからの電波を受信して当該ＩＣタグに記憶された情報を取得するための通信部と、
前記通信部で取得された情報に基づいて画像情報が表示される表示部と、を備えたこと、を特徴とするカプセル排出装置。
【請求項２】
請求項１に記載するカプセル排出装置であって、
前記カプセル排出部に前記通信部のアンテナを設けたこと、を特徴とするカプセル排出装置。
【発明の詳細な説明】
【技術分野】
【０００１】
本発明は、玩具が入ったカプセルが排出されるカプセル排出装置に関するものである。
【背景技術】
【０００２】
従来より、カプセル排出装置では、例えば、下記の特許文献１に示すように、玩具を入れたカプセルがカプセル収納部に収納されており、硬貨を投入してハンドルの回転が許容されると、そのハンドルの回転により、カプセル収納部からカプセルを排出させることができる。
【特許文献１】特開平９−２８２５３８号公報
【０００３】
この点、カプセル排出装置では、ハンドルが回転されるとカプセル収納部のカプセルが攪拌される構造又は、カプセル収納部から排出されるカプセルを外部から予め確認することができない構造になっている。従って、排出されるカプセルに入った玩具の種類を特定することはできないが、もっとも、このカプセルの排出におけるランダム性は、遊技者の好奇心を刺激し、カプセル排出装置の面白さ・魅力の源になっている。
【発明の開示】
【発明が解決しようとする課題】
【０００４】
しかしながら、このカプセルの排出におけるランダム性は、その一方で、所望しない種類の玩具を重複して遊技者にもたらすことになり、その結果が幾度となく発生すると、かえって、繰り返して遊技する意欲を減退させる要因になっていた。
【０００５】
そこで、本発明は、上述した点を鑑みてなされたものであり、玩具の入ったカプセルの排出におけるランダム性を維持しつつ、排出されるカプセルに入った玩具に対する遊技者の期待感を煽ることができるカプセル排出装置を提供することを課題とする。
【課題を解決するための手段】
【０００６】
この課題を解決するために成された請求項１に係る発明は、玩具（例えば、フィギュア１０１）が入ったカプセル（例えば、カプセル１００）を収納するカプセル収納部（例えば、カプセル収納部３）と、前記カプセル収納部（例えば、カプセル収納部３）の底部に設けられることにより前記カプセル収納部（例えば、カプセル収納部３）から前記カプセル（例えば、カプセル１００）を排出するカプセル排出部（例えば、カプセル排出部９）と、を有するカプセル排出装置（例えば、カプセル排出装置１）において、各カプセル内（例えば、カプセル１００，フィギュア１０１）に設けられたＩＣタグ（例えば、ＩＣタグ３１）と、前記ＩＣタグ（例えば、ＩＣタグ３１）からの電波を受信して当該ＩＣタグ（例えば、ＩＣタグ３１）に記憶された情報を取得するための通信部（例えば、リーダ／ライタ２４）と、前記通信部（例えば、リーダ／ライタ２４）で取得された情報に基づいて画像情報が表示される表示部（例えば、液晶ディスプレイ８）と、を備えたこと、を特徴としている。
【０００７】
ここで、「各カプセル内に設けられたＩＣタグ」とは、例えば、「カプセル」又は「玩具」に内蔵された「ＩＣタグ」であってもよいし、「カプセル」の内側又は「玩具」に貼付された「ＩＣタグ」であってもよいし、「玩具」とともに「カプセル」に入った状態の「ＩＣタグ」であってもよい。
【０００８】
また、請求項２に係る発明は、請求項１に記載するカプセル排出装置（例えば、カプセル排出装置１）であって、前記カプセル排出部（例えば、カプセル排出部９）に前記通信部（例えば、リーダ／ライタ２４）のアンテナ（例えば、アンテナ２５）を設けたこと、を特徴としている。
【発明の効果】
【０００９】
すなわち、本発明のカプセル排出装置では、通信部により、カプセル収納部に存在する或るカプセル内に設けられたＩＣタグの情報を取得し、さらに、その情報に基づいた画像情報が表示部に表示されており、遊技者は、表示部の画像情報を介して、カプセル排出部から次回又は近い将来に排出されるであろうカプセルに入った玩具の種類を想定することができることから、玩具の入ったカプセルの排出におけるランダム性を維持しつつ、排出されるカプセルに入った玩具に対する遊技者の期待感を煽ることができる。
【００１０】
さらに、本発明のカプセル排出装置において、カプセル排出部に通信部を設ければ、カプセル排出部により排出されるカプセル内に設けられたＩＣタグの情報を取得し、さらに、その情報に基づいた画像情報が表示部に表示されることから、表示部の画像情報を介して、カプセル排出部からカプセルが排出される際に、当該カプセルに入った玩具に対応する演出を行うことができる。
【発明を実施するための最良の形態】
【００１１】
以下、本発明の実施の形態を図面を参照にして説明する。
図２は、本実施の形態のカプセル排出装置の斜視図である。図２に示すように、本実施の形態のカプセル排出装置１では、本体２の上方において、複数のカプセル１００を収納することができるカプセル収納部３が設けられている。このカプセル収納部３は、側面がガラスやプラスチック製の透明なカバー３ａで形成されており、さらに、上面がカプセル１００を補充するための蓋３ｂで形成されている。一方、本体２の前面には、ハンドル４や、硬貨投入口７、カプセル排出口６などが設けられている。
この点、カプセル排出口６は、本体２の前面に突設されたテーブル５において設けられている。
【００１２】
そして、本実施の形態のカプセル排出装置１では、硬貨投入口７に硬貨を投入すると、ハンドル４の回転が許容されるので、そのハンドル４を回転させることにより、カプセル収納部３からカプセル排出口６にカプセル１００を排出させることができる。
【００１３】
尚、この実施の形態では、カプセル収納部３に収納された複数のカプセル１００のそれぞれに、９種類のフィギュアのうちいずれか一つが封入されている。
【００１４】
さらに、本実施の形態のカプセル排出装置１では、カプセル収納部３の前面において、液晶ディスプレイ８が設けられており、また、本体２の側面において、スピーカ１１が設けられている。
【００１５】
また、図１は、本実施の形態のカプセル排出装置のブロック図である。図１に示すように、本実施の形態のカプセル排出装置１には、予め設定されたプログラムに従って制御動作を行うＣＰＵ２１が搭載されており、さらに、ＣＰＵ２１には、そのプログラムなどが記憶されたＲＯＭ２２や、その制御動作の際に必要なワークエリアなどが確保されたＲＡＭ２３、液晶ディスプレイ８を制御するための液晶駆動回路７５、スピーカ１１を制御するための音出力回路２６、カプセル収納部３の底部にアンテナ２５が配置された非接触型のリーダ／ライタ２４などが接続されている。
【００１６】
一方、カプセル収納部３に収納された複数のカプセル１００のそれぞれには、一つのフィギュア１０１が封入されるとともに、ラベルタイプで非接触型のＩＣタグ３１が一つ封入されている。この点、ＩＣタグ３１は、当該カプセル１００と一緒に封入されたフィギュア１０１の種類を判別するための識別情報などが記憶されたＩＣチップ３２や、上述したリーダ／ライタ２４と無線通信を行うためのアンテナ３３などから構成される。
【００１７】
尚、リーダ／ライタ２４のアンテナ２５が配置されたカプセル収納部３の底部には、上述したハンドル４（図２参照）の回転に連動して、カプセル収納部３に収納された複数のカプセル１００を攪拌しつつカプセル収納部３から一つのカプセル１００を排出させるカプセル排出部９が設けられている。そして、このカプセル排出部９は、本体２（図２参照）の内部において、カプセル搬送路１０を介してカプセル排出口６（図２参照）に連通している。
【００１８】
また、図３は、本実施の形態のカプセル排出装置における液晶駆動回路のブロック図である。図３に示すように、本実施の形態のカプセル排出装置１における液晶駆動回路７５には、プログラムＲＯＭ８１や、画像ＲＯＭ８２、画像制御ＣＰＵ８３、ワークＲＡＭ８４、ＶＤＰ（ビデオ・ディスプレイ・プロセッサ）８５、ビデオＲＡＭ８６などで構成されている。そして、プログラムＲＯＭ８１には、液晶ディスプレイ８での表示に関する画像制御用プログラムや各種選択テーブルが格納されている。
【００１９】
また、画像ＲＯＭ８２には、液晶ディスプレイ８で表示される画像データなどが記憶されており、特に、図４のテーブルに示すように、動画のドットデータ（映像情報（「画像情報」に相当するもの））がフィギュア１０１の種類（識別情報）に対応させて格納されている。すなわち、画像ＲＯＭ８２では、動画Ａの映像情報がフィギュアＡの識別情報に対応するように格納され、動画Ｂの映像情報がフィギュアＢの識別情報に対応するように格納され、動画Ｃの映像情報がフィギュアＣの識別情報に対応するように格納され、動画Ｄの映像情報がフィギュアＤの識別情報に対応するように格納され、動画Ｅの映像情報がフィギュアＥの識別情報に対応するように格納され、動画Ｆの映像情報がフィギュアＦの識別情報に対応するように格納され、動画Ｇの映像情報がフィギュアＧの識別情報に対応するように格納され、動画Ｈの映像情報がフィギュアＨの識別情報に対応するように格納され、動画Ｉの映像情報がフィギュアＩの識別情報に対応するように格納されている。
【００２０】
また、画像制御ＣＰＵ８３は、ＣＰＵ２１で設定されたパラメータに基づき、プログラムＲＯＭ８１内に予め記憶された画像制御プログラムに従い、画像ＲＯＭ８２内に予め記憶されたドットデータの中から液晶ディスプレイ８に表示する画像の決定を行うものである。
【００２１】
この点を具体的に言えば、例えば、リーダ／ライタ２４により取得した識別情報がフィギュアＡのものである場合には液晶ディスプレイ８に表示する画像を動画Ａの映像情報と決定し、リーダ／ライタ２４により取得した識別情報がフィギュアＢのものである場合には液晶ディスプレイ８に表示する画像を動画Ｂの映像情報と決定し、リーダ／ライタ２４により取得した識別情報がフィギュアＣのものである場合には液晶ディスプレイ８に表示する画像を動画Ｃの映像情報と決定し、リーダ／ライタ２４により取得した識別情報がフィギュアＤのものである場合には液晶ディスプレイ８に表示する画像を動画Ｄの映像情報と決定し、リーダ／ライタ２４により取得した識別情報がフィギュアＥのものである場合には液晶ディスプレイ８に表示する画像を動画Ｅの映像情報と決定し、リーダ／ライタ２４により取得した識別情報がフィギュアＦのものである場合には液晶ディスプレイ８に表示する画像を動画Ｆの映像情報と決定し、リーダ／ライタ２４により取得した識別情報がフィギュアＧのものである場合には液晶ディスプレイ８に表示する画像を動画Ｇの映像情報と決定し、リーダ／ライタ２４により取得した識別情報がフィギュアＨのものである場合には液晶ディスプレイ８に表示する画像を動画Ｈの映像情報と決定し、リーダ／ライタ２４により取得した識別情報がフィギュアＩのものである場合には液晶ディスプレイ８に表示する画像を動画Ｉの映像情報と決定する。
【００２２】
また、ワークＲＡＭ８４は、前記画像制御プログラムを画像制御ＣＰＵ８３で実行するときの一時記憶手段として構成される。また、ＶＤＰ８５は、画像制御ＣＰＵ８３で決定された表示内容に応じた画像を形成し、下側液晶ディスプレイ４に出力するものである。これにより、例えば、画像ＲＯＭ８２に格納された動画Ａ〜Ｉなどが、液晶ディスプレイ８で表示される。尚、ビデオＲＡＭ８６は、ＶＤＰ８５で画像を形成するときの一時記憶手段として構成される。
【００２３】
尚、図１の音出力回路２６においても、フィギュア１０１の種類（識別情報）に対応させて音データが格納されており、ＣＰＵ２１は、リーダ／ライタ２４により取得した識別情報に基づいて選択した音データをスピーカ１１から出力させる。
【００２４】
以上詳細に説明したように、本実施の形態のカプセル排出装置１では、図１に示すように、ＣＰＵ２１は、カプセル収納部３の底部に配置されたリーダ／ライタ２４のアンテナ２５により、カプセル収納部３の底部に存在する或るカプセル１００内のＩＣタグ３１のＩＣチップ３２に記憶された識別情報を無線通信で取得する。そして、画像制御ＣＰＵ８３は、ＣＰＵ２１から送信されたその識別情報に基づき、図４に示すように、その識別情報に対応する動画Ａ〜Ｉ（映像情報）のいずれかを液晶ディスプレイ８に表示する。これにより、当該ＩＣタグ３１とカプセル１００内に一緒に封入されたフィギュア１００の種別を液晶ディスプレイ８に表示される動画Ａ〜Ｉ（映像情報）で知らせることができる。
【００２５】
従って、遊技者は、液晶ディスプレイ８に表示される動画Ａ〜Ｉ（映像情報）を介して、カプセル排出部９（図１参照）から次回又は近い将来に排出されるであろうカプセル１００（図１又は図２参照）に入ったフィギュア１００（図２参照）の種類（この実施の形態では、フィギュアＡ〜Ｉの９種類）を想定することができることから、フィギュア１００（図２参照）の入ったカプセル１００（図１又は図２参照）の排出におけるランダム性を維持しつつ、排出されるカプセル１００（図２参照）に入ったフィギュア１００（図２参照）に対する遊技者の期待感を煽ることができる。
【００２６】
この点、カプセル１００（図１又は図２参照）に入ったフィギュア１００（図２参照）の種類（この実施の形態では、フィギュアＡ〜Ｉの９種類）の排出頻度に応じて、液晶ディスプレイ８に表示される動画Ａ〜Ｉ（映像情報）の内容を作成し、例えば、排出頻度が低いものに対しては所謂「激アツ」の動画を作成すれば、遊技者の期待感を一層に煽ることができる。
【００２７】
尚、本発明は上記実施の形態に限定されるものでなく、その趣旨を逸脱しない範囲で様々な変更が可能である。
例えば、本実施の形態のカプセル排出装置１では、ラベルタイプのＩＣタグ３１をフィギュア１０１と一緒にカプセル１００に封入しているが、この点、ＩＣタグ３１をフィギュア１０１又はカプセル１００の内側に貼り付けてもよい。
【００２８】
また、ＩＣタグ３１について、ラベルタイプに代えて細片タイプのもの使用するとともに、フィギュア１０１又はカプセル１００に内蔵させてもよい。ここで、フィギュア１０１に内蔵させた具体例を言えば、例えば、図７に示すように、包装用の透明な内袋１０２に入ったフィギュア１０１を、注意書き等が記載された説明用紙１０３とともに、カプセル１００内に封入する。この点、フィギュア１０１は、人形１１１と台座１１２の２つの部分から構成される。図８は、フィギュア１０１の台座１１２の部分の正面図である。そして、フィギュア１０１の台座１１２の部分については、図９の分解図に示すように、フィギュア１０１を固定するための凸部１１６が設けられた上蓋１１３と、上蓋１１３の底面をカバーするための下蓋１１５、上蓋１１３と下蓋１１５とで形成される内部空間に内在する細片タイプのＩＣチップ１１４で構成される。尚、ＩＣチップ１１４は、上蓋１１３又は下蓋１１５の内側に貼付される。
【００２９】
また、本実施の形態のカプセル排出装置１では、図１に示すように、リーダ／ライタ２４のアンテナ２５をカプセル収納部３の底部に配置させているが、この点、図５に示すように、カプセル排出部９の内部に配置させてもよい。このような場合には、ＣＰＵ２１は、カプセル排出部９の内部に配置されたリーダ／ライタ２４のアンテナ２５により、カプセル排出部９からカプセル排出口６に排出されるカプセル１００内のＩＣタグ３１のＩＣチップ３２に記憶された識別情報を無線通信で取得する。そして、画像制御ＣＰＵ８３は、ＣＰＵ２１から送信されたその識別情報に基づき、図４に示すように、その識別情報に対応する動画Ａ〜Ｉ（映像情報）のいずれかを液晶ディスプレイ８に表示する。これにより、液晶ディスプレイ８に表示される動画Ａ〜Ｉ（映像情報）を介して、カプセル排出部９からカプセル排出口６にカプセル１００が排出される際に、当該カプセル１００に入ったフィギュア１００（図２参照）の種類（この実施の形態では、フィギュアＡ〜Ｉの９種類のいずれか）に対応する演出を行うことができる。
但し、動画Ａ〜Ｉ（映像情報）のいずれかを液晶ディスプレイ８に表示するタイミングは、カプセル排出部９からカプセル１００が排出されているときであってもよいし、カプセル排出口６にまでカプセル１００が排出されたときであってもよい。
【００３０】
尚、図１では、リーダ／ライタ２４のアンテナ２５がカプセル収納部３の底部のみに配置される一方、図５では、リーダ／ライタ２４のアンテナ２５がカプセル排出部９の内部のみに配置されているが、この点、カプセル収納部３の底部にアンテナ２５が配置されたリーダ／ライタ２４とカプセル排出部９の内部にアンテナ２５が配置されたリーダ／ライタ２４とを兼ね備えてもよい。
【００３１】
また、本実施の形態のカプセル排出装置１において、液晶駆動回路７５の画像ＲＯＭ８２（図３参照）では、図４に示すように、液晶ディスプレイ８に表示される動画Ａ〜Ｉ（映像情報）がフィギュア１０１の種類（識別情報）（この実施の形態では、フィギュアＡ〜Ｉの９種類）に一対一に対応させて格納されている。
この点、フィギュア１０１の種類（識別情報）としてフィギュアＡが認識された場合には、例えば、図１０のフィギュアＡのテーブルに示すように、「０」〜「１２７」での乱数抽出結果に基づいて、「演出１」又は「演出２」の異なる内容の動画を液晶ディスプレイ８に表示させたり、「演出なし」として動画そのものを表示させなかったりしてもよい。また、フィギュア１０１の種類（識別情報）としてフィギュアＢが認識された場合には、例えば、図１０のフィギュアＢのテーブルに示すように、「０」〜「１２７」での乱数抽出結果に基づいて、「演出２」又は「演出３」の異なる内容の動画を液晶ディスプレイ８に表示させたり、「演出なし」として動画そのものを表示させなかったりしてもよい。
もっとも、図１０には、フィギュア１０１の種類（識別情報）として、フィギュアＡ又はフィギュアＢが認識された場合のテーブルしか明記されていないが、フィギュアＣ〜Ｉの残りの７種類についても、同様なテーブルが用意され、各テーブルは、液晶駆動回路７５の画像ＲＯＭ８２（図３参照）に格納される。
但し、各テーブルにおいては、演出（動画）の数を同一にする必要はなく、また、「演出なし」がなくてもよい。
これにより、フィギュア１０１の種類（識別情報）（この実施の形態では、フィギュアＡ〜Ｉの９種類）のそれぞれに対して、液晶ディスプレイ８に表示される演出が抽選で決定されるので、液晶ディスプレイ８に表示される演出にランダム性をもたせることができる。
【００３２】
また、画像ＲＯＭ８２に代えて、図６に示すように、画像ＥＥＰＲＯＭ８７を搭載すれば、リーダ／ライタ２４を介して、図４の各動画Ａ〜Ｉ（映像情報）や図１０の各演出（「演出なし」も含む）等を書き換えることも可能となる。
【００３３】
尚、画像ＲＯＭ８２（図３参照）や画像ＥＥＰＲＯＭ８７に記憶された動画Ａ〜Ｉ（映像情報）を選択して液晶ディスプレイ８に表示するのではなく、カプセル１００内のＩＣタグ３１のＩＣチップ３２に記憶された映像情報を、リーダ／ライタ２４を介して、ワークＲＡＭ８４などに読み込んで液晶ディスプレイ８に表示させてもよい。
もっとも、この点は、音出力回路２６（図１参照）がスピーカ１１（図１参照）から出力させる音データについても反映させることができる。
【産業上の利用可能性】
【００３４】
本発明は、カプセル内の封入された玩具に関する情報を表示する技術に適用しうる。
【図面の簡単な説明】
【００３５】
【図１】本発明の一実施形態によるカプセル排出装置のブロック図である。
【図２】本発明の一実施形態によるカプセル排出装置の斜視図である。
【図３】本発明の一実施形態によるカプセル排出装置における液晶駆動回路のブロック図である。
【図４】本発明の一実施形態によるカプセル排出装置における液晶駆動回路の画像ＲＯＭに記憶された動画の格納形態を示すテーブルの説明図である。
【図５】本発明の一実施形態によるカプセル排出装置のブロック図である。
【図６】本発明の一実施形態によるカプセル排出装置における液晶駆動回路のブロック図である。
【図７】本発明の一実施形態によるカプセル排出装置においてカプセル及びその封入物を示した説明図である。
【図８】本発明の一実施形態によるカプセル排出装置におけるフィギュアの台座の部分の正面図である。
【図９】本発明の一実施形態によるカプセル排出装置におけるフィギュアの台座の部分の分解図である。
【図１０】本発明の一実施形態によるカプセル排出装置における液晶駆動回路の画像ＲＯＭに記憶された動画の格納形態を示すテーブルの説明図である。
【符号の説明】
【００３６】
１  カプセル排出装置
３  カプセル収納部
８  液晶ディスプレイ
９  カプセル排出部
２５  アンテナ
２４  リーダ／ライタ
３１  ＩＣタグ
１００  カプセル
１０１  フィギュア
１１４  ＩＣタグ
【図１】
2006004199.tif 000003
【図２】
2006004199.tif 000004
【図３】
2006004199.tif 000005
【図４】
2006004199.tif 000006
【図５】
2006004199.tif 000007
【図６】
2006004199.tif 000008
【図７】
2006004199.tif 000009
【図８】
2006004199.tif 000010
【図９】
2006004199.tif 000011
【図１０】
2006004199.tif 000012